(57)【要約】【課題】音声メッセージの再生可能なユーザー画像を所定のプリント媒体に印刷する店頭端末機と音声メッセージの配信可能なサービスサーバを提供する。【解決手段】店頭端末機１０は画像データと音声データを入力し、音声データをサービスサーバ３０に送信する。サービスサーバ３０は音声データをデータベース登録し、音声データの保管場所を示すアクセス情報をあらわす二次元コードを生成し、店頭端末機１０に送信する。店頭端末機１０は画像データと受信した二次元コードをプリント媒体に印刷する。カメラ付き携帯電話４０はプリント媒体に印刷された二次元コードを読み取り、音声データの保管場所を示すアクセス情報を取得し、サービスサーバ３０から音声データをアクセスする。【選択図】      図１
2006035691.tif 000002
【特許請求の範囲】
【請求項１】
画像データに関する音声データを格納するサービスサーバとネットワークを介して通信可能な店頭端末機であって、
ユーザーの画像データを入力する画像データ入力手段と、
前記画像データに関する音声データを入力する音声データ入力手段と、
前記サービスサーバに前記音声データを送信する音声データ送信手段と、
前記サービスサーバから前記音声データにアクセスするためのアクセス情報を含むアクセスコードを受信するアクセスコード受信手段と、
前記画像データと前記アクセスコードをプリント媒体上に印刷する印刷手段と、
を備えたことを特徴とする店頭端末機。
【請求項２】
前記画像データ入力手段は、ユーザーの画像を撮像する撮像手段と、ユーザーの所持する画像記録媒体を読取る画像データ読取り手段のうち少なくとも一方を備えることを特徴とする請求項１に記載の店頭端末機。
【請求項３】
前記音声データ入力手段は、ユーザーの音声を録音する録音手段と、予め複数の音声メッセージが記憶された音声メッセージ記憶手段およびユーザー所望の音声メッセージを選択する音声メッセージ選択手段のうち少なくとも一方を備えることを特徴とする請求項１乃至２のいずれかに記載の店頭端末機。
【請求項４】
ユーザーの課金情報を入力する課金情報入力手段と、
前記サービスサーバに前記音声データと関連付けて課金情報を送信する課金情報送信手段を更に備えたことを特徴とする請求項１乃至３のいずれかに記載の店頭端末機。
【請求項５】
前記サービスサーバからプリント印刷不可フラグを含むアクセスコードを受信した時には、印刷手段での印刷を行わない印刷制御手段を更に備えたことを特徴とする請求項４に記載の店頭端末機。
【請求項６】
ユーザーが入力した画像データおよび音声データを他のユーザーに対して公開するか否かを選択指示させる公開指示手段と、公開指示された画像データ、音声データおよびアクセスコードを記憶する記憶手段と、公開指示された画像データおよび音声データを所定の時間ごとに表示する公開データ出力手段を更に備えたことを特徴とする請求項１乃至５に記載の店頭端末機。
【請求項７】
請求項１に記載の店頭端末機からネットワークを介して前記画像データに関する音声データを受信して保管するサービスサーバであって、
前記店頭端末機から前記音声データを受信する受信手段と、
前記音声データを管理するデータベースと、
前記音声データにアクセスするためのアクセス情報を発行するアクセス情報発行手段と、
前記アクセス情報を含むコードを生成するアクセスコード生成手段と、
前記アクセスコードを送信するアクセスコード送信手段と、
を備えたことを特徴とするサービスサーバ。
【請求項８】
前記音声データと関連付けられた課金情報を前記店頭端末機から受信する課金情報受信手段と、
前記課金情報を管理する課金情報データベースと、
を更に備えたことを特徴とする請求項７に記載のサービスサーバ。
【請求項９】
前記課金情報データベースを参照し、所定期間ごとに音声データ保存利用料を課金情報から減算し、課金情報を更新する課金情報データベース更新手段と、課金情報が音声データ保存利用料未満もしくは０以下になった場合には、前記音声データおよび課金情報を削除する削除手段を更に備えたことを特徴とする請求項８に記載のサービスサーバ。
【請求項１０】
前記課金情報データベースを参照し、プリント利用料を課金情報から減算し、課金情報を更新する課金情報データベース更新手段と、課金情報がプリント利用料未満もしくは０以下になった場合には、プリント印刷不可フラグを含むコードを生成するアクセスコード生成手段を更に備えたことを特徴とする請求項８乃至９のいずれかに記載のサービスサーバ。
【発明の詳細な説明】
【技術分野】
【０００１】
本発明は店頭端末機及びサービスサーバに係り、特に店頭端末機でのユーザー画像のプリントの自動販売および店頭端末機からユーザー画像に関する音声データのアップロードを受け付けるサービスサーバに関する。
【背景技術】
【０００２】
従来、ユーザー画像を撮像し、プリントシール上に印刷する写真プリント自動販売機が提案されている（特許文献１）。
【０００３】
また、写真プリント上に音声データをバーコードとして印刷し、このバーコードをバーコードリーダーで読み取って音声に変換して発音させるトークフォト作成システムが提案されている（特許文献２）。
【特許文献１】特開２００２−３３０３７１号公報
【特許文献２】特開２００１−５１３６８号公報
【発明の開示】
【発明が解決しようとする課題】
【０００４】
特許文献１に記載の写真プリント自動販売機では、ユーザーが手軽に撮影を行うことができ、さらには撮影画像に任意の加工処理を施すことができるが、特許文献１にはユーザー画像に関する音声データを入手する技術や仕組みについては記載されていない。
【０００５】
一方、特許文献２に記載のトークフォト作成システムによって作成された写真プリントから音声を発生させるためには、写真プリント上のバーコードを読み取り、これを音声に変換して発音させる専用の再生装置が必要であり、また、写真プリント上のバーコードによって記録できる情報量では、十分に人の声を再現したり、長い時間の再生を行うことができなかった。
【０００６】
本発明はこのような事情に鑑みてなされたもので、音声データの再生可能なユーザー画像のプリントを印刷することができる店頭端末機及び音声データの配信可能なサービスサーバを提供することを目的とする。
【課題を解決するための手段】
【０００７】
前記目的を達成するために請求項１に係る発明は画像データに関する音声データを格納するサービスサーバとネットワークを介して通信可能な店頭端末機であって、ユーザーの画像データを入力する画像データ入力手段と、前記画像データに関する音声データを入力する音声データ入力手段と、前記サービスサーバに前記音声データを送信する音声データ送信手段と、前記サービスサーバから前記音声データにアクセスするためのアクセス情報を含むアクセスコードを受信するアクセスコード受信手段と、前記画像データと前記アクセスコードをプリント媒体上に印刷する印刷手段と、を備えたことを特徴としている。
【０００８】
即ち、ユーザーの画像データとユーザーの画像データに関する音声データを店頭端末機から入力を行い、音声データをサービスサーバに送信する。そして、サービスサーバが発行する音声データにアクセスするためのアクセス情報（ＵＲＬ）を含むアクセスコード（バーコード、２次元コード等）を受信し、このアクセスコードとユーザーの画像データとをプリント媒体上に印刷させる。このようにして印刷されたアクセスコードを含む写真プリントは、店頭端末機のプリント排出口より排出される。そして、アクセスコード読取機能を有するユーザー端末機で写真プリントのアクセスコードを読み取らせたアクセス情報に基づきアクセスが行われると、そのアクセス情報に対応して管理されている音声データを音声データデータベースから読み出してアクセスしたユーザー端末機に送信する。これによりユーザーは写真プリント上に印刷されたアクセスコードを使用して写真プリントの画像に関する音声データを簡単に入手することができる。
【０００９】
請求項２に示すように請求項１に記載の店頭端末機において、前記画像データ入力手段は、ユーザーの画像を撮像する撮像手段と、ユーザーの所持する画像記録媒体を読取る画像データ読取り手段のうち少なくとも一方を備えることを特徴としている。
【００１０】
請求項３に示すように請求項１乃至２のいずれかに記載の店頭端末機において、前記音声データ入力手段は、ユーザーの音声を録音する録音手段と、予め複数の音声メッセージが記憶された音声メッセージ記憶手段およびユーザー所望の音声メッセージを選択する音声メッセージ選択手段のうち少なくとも一方を備えることを特徴としている。
【００１１】
請求項４に示すように請求項１乃至３のいずれかに記載の店頭端末機において、ユーザーの課金情報を入力する課金情報入力手段と、前記サービスサーバに前記音声データと関連付けて課金情報を送信する課金情報送信手段を更に備えたことを特徴としている。
【００１２】
即ち、ユーザーが店頭端末機の課金装置に投入した金額を計数して課金情報として入力する。または、ユーザーが店頭端末機の操作部から入力したクレジットカードの登録者名・カード番号・有効期限のクレジット情報を課金情報としてもよい。これによりユーザーの投入した金額に相当する期間、音声データデータベースの保存利用が可能となる。また、クレジット情報を課金情報として入力したユーザーに対してはクレジット決済が可能な期間もしくはユーザーが本サービスの利用停止を申し出るまでの期間、音声データデータベースの保存利用が可能となる。
【００１３】
請求項５に示すように請求項４に記載の店頭端末機において、前記サービスサーバからプリント印刷不可フラグを含むアクセスコードを受信した時には、印刷手段での印刷を行わない印刷制御手段を更に備えたことを特徴としている。
【００１４】
即ち、店頭端末機がプリント媒体を印刷する際に、サービスサーバは課金情報を参照して課金情報が０以下の場合にはプリント利用が不可と判断し、プリント印刷不可フラグを含むアクセスコードを店頭端末機に送信する。店頭端末機はプリント印刷不可フラグを含むアクセスコードを受信した場合には印刷手段に対して印刷不可の制御信号を出力し、課金情報が０以下でのプリント印刷を防止することが可能となる。また、プリント利用料の残存額を含む課金情報をサービスサーバで管理することにより、ユーザーはプリント利用料が残存額の範囲内ならば課金装置にコインを投入することなくプリント印刷が可能となる。
【００１５】
請求項６に示すように請求項１乃至５のいずれかに記載の店頭端末機において、ユーザーが入力した画像データおよび音声データを他のユーザーに対して公開するか否かを選択指示させる公開指示手段と、公開指示された画像データ、音声データおよびアクセスコードを記憶する記憶手段と、公開指示された画像データおよび音声データを所定の時間ごとに表示する公開データ出力手段を更に備えたことを特徴としている。
【００１６】
即ち、画像データおよび音声データの公開を希望するユーザーが操作部の公開ボタンを押すことにより、他のユーザーが画像データおよび音声データの閲覧表示が可能となる。画像データおよび音声データは所定の時間ごとに繰り返し表示・再生され、他のユーザーが表示された画像データおよび音声データの再生を希望する場合には、プリント印刷を行うことも可能である。これにより店頭端末機が電子的な掲示板として機能し、プリント印刷されたプリント媒体を音声メッセージが再生可能なチラシとして利用可能となる。
【００１７】
請求項７に係る発明は、請求項１に記載の店頭端末機からネットワークを介して前記画像データに関する音声データを受信して保管するサービスサーバであって、前記店頭端末機から前記音声データを受信する受信手段と、前記音声データを管理するデータベースと、前記音声データにアクセスするためのアクセス情報を発行するアクセス情報発行手段と、前記アクセス情報を含むコードを生成するアクセスコード生成手段と、前記アクセスコードを送信するアクセスコード送信手段と、を備えたことを特徴としている。
【００１８】
即ち、店頭端末機からネットワークを介して音声データを受信して音声データデータベースで管理する。音声データの保管場所を示す音声データにアクセスするためのアクセス情報を発行し、このアクセス情報を含むアクセスコードを生成する。生成されたアクセスコードは音声データを送信した店頭端末機に対して送信するようにしている。これにより、店頭端末機はこのアクセスコードとユーザーの画像データをプリント媒体上に印刷することができる。
【００１９】
請求項８に示すように請求項７に記載のサービスサーバにおいて、前記音声データと関連付けられた課金情報を前記店頭端末機から受信する課金情報受信手段と、前記課金情報を管理する課金情報データベースと、を更に備えたことを特徴としている。
【００２０】
請求項９に示すように請求項８に記載のサービスサーバにおいて、前記課金情報データベースを参照し、所定期間ごとに音声データ保存利用料を課金情報から減算し、課金情報を更新する課金情報データベース更新手段と、課金情報が音声データ保存利用料未満もしくは０以下になった場合には、前記音声データおよび課金情報を削除する削除手段を更に備えたことを特徴としている。
【００２１】
請求項１０に示すように請求項８乃至９のいずれかに記載のサービスサーバにおいて、前記課金情報データベースを参照し、プリント利用料を課金情報から減算し、課金情報を更新する課金情報データベース更新手段と、課金情報がプリント利用料未満もしくは０以下になった場合には、プリント印刷不可フラグを含むコードを生成するアクセスコード生成手段を更に備えたことを特徴としている。
【００２２】
即ち、店頭端末機がプリント媒体を印刷する際に、サービスサーバは課金情報を参照してプリント利用料を課金情報から減算し、更新した課金情報がプリント利用料未満もしくは０以下になった場合には、プリント利用が不可と判断し、プリント印刷不可フラグを含むアクセスコードを店頭端末機に送信する。これによりユーザーはプリント利用料が残存額の範囲内ならば課金装置にコインを投入することなくプリント印刷が可能となる。また、他のユーザーが公開データのプリント印刷を希望した場合、当該公開データの課金情報のプリント利用料が残存額の範囲内ならば課金装置にコインを投入することなくプリント印刷が可能となる。
【発明の効果】
【００２３】
本発明によれば、音声データの再生可能なユーザー画像のプリントを印刷することができる店頭端末機及び音声データの配信可能なサービスサーバを提供することを実現することができ、また、この写真プリントを他のユーザーに配布し、写真プリントを受け取った他のユーザーがアクセスコード読み取り可能なユーザー端末機からサービスサーバにアクセスすることで、写真プリントにプリントされたユーザーの画像データに関する音声データを簡単に再生することができる。
【発明を実施するための最良の形態】
【００２４】
以下添付図面に従って本発明に係る店頭端末機及びサービスサーバの好ましい実施の形態について詳説する。
【００２５】
図１は本発明に係る店頭端末機およびサービスサーバを実現するためのシステム構成図であり、このシステムは、店頭端末機１０と、サービスサーバ３０と、ユーザー端末機としてのカメラ付携帯電話４０とから構成され、インターネット５０を通じて相互に通信可能となっている。
【００２６】
図２は店頭端末機１０の構成例を示すブロック図である。
【００２７】
同図に示すように店頭端末機１０は、主としてHTTP(Hypertext Transfer Protocol) 通信部１１と、制御部１２と、操作部１３と、画像データ入力部１４と、音声データ入力部１５と、表示モニタ１６と、スピーカー１７と、課金装置１８と、アクセスコードメモリ部１９と、プリンタ２０とから構成されている。
【００２８】
HTTP通信部１１は、インターネット５０を介してサービスサーバと通信するものであり、音声データ・課金情報をサービスサーバ３０に送信し、アクセスコード・更新された課金情報をサービスサーバ３０から受信する。
【００２９】
制御部１２は、店頭端末機の各部を統括、制御するもので、画像データ入力部１４から入力された画像データを記憶し、音声データ入力部１５から入力された音声データを記憶する。
【００３０】
操作部１３はユーザーからの操作を受け付け、制御部１２にユーザー操作指示を送信する。操作部１３は表示モニタのパネル上に貼られたタッチパネルであっても構わないし、店頭端末機１０の筐体上に設けられたキーボタンスイッチであっても構わない。
【００３１】
画像データ入力部１４は、ユーザーの画像データを入力するためのものであり、店頭端末機１０に内蔵されたカメラを用いてユーザー画像をその場で撮影する撮像ユニット１４１と、ユーザーの画像データが記録された外部記憶媒体を読み取るための外部記憶媒体読取装置１４３とから構成されている。尚、画像データ入力部１４は、撮像ユニット１４１および外部記憶媒体読取装置１４３のうちのいずれか一方のみから構成されていてもよい。
【００３２】
音声データ入力部１５は、ユーザーの音声データを入力するためのものであり、店頭端末機に内蔵されたマイク１５１を用いてユーザーの音声メッセージをその場で録音する録音ユニット１５２と、ユーザーの好みそうな音声データが予め複数記録されておりユーザーの選択により音声データとして入力することのできる音声テンプレート選択部１５３とから構成されている。尚、音声データ入力部１５は、マイク１５１を含む録音ユニット１５２および音声テンプレート選択部１５３のうちのいずれか一方のみから構成されていてもよい。
【００３３】
表示モニタ１６はユーザーへ操作指示を案内したり、ユーザーの画像データや音声テンプレートを表示し、操作部１３からのユーザー操作を促すものである。その他、店頭端末機１０が使用されていない時には、公開が許可されたユーザー画像をスクリーンセーバーとして一定周期ごとに表示する。
【００３４】
スピーカー１７はユーザーへ操作指示を案内したり、選択された音声テンプレートおよびユーザーの音声データを再生するものである。
【００３５】
課金装置１８はユーザーからのコイン投入を検出し、投入金額を制御部１２に送信するものである。また、おつりを返したり、ユーザーの取り消し操作により返金を行う。
【００３６】
アクセスコードメモリ部１９はサービスサーバ３０から送信されたアクセスコードをHTTP通信部１１を介して受信し、一時記憶するものである。
【００３７】
図３に示すように、受信したアクセスコード２４はプリンタ２０で画像データ２３とともにプリント用紙上に印刷される。画像データ２３とアクセスコード２４の印刷された写真プリント２５はプリント取出し口２１より排出される。
【００３８】
図４はサービスサーバ３０の構成例を示すブロック図である。
【００３９】
同図に示すようにサービスサーバ３０は、主としてHTTP通信部３１と、制御部３２と、店頭端末機からアップロードされたユーザーの音声データを登録管理する音声データデータベース３３と、該音声データを保管に必要な課金情報を管理する課金情報データベース３５とから構成されている。
【００４０】
制御部３２は、サービスサーバ３０内の各部を統括、制御するもので、ブラウザを用いる閲覧ソフト、管理ソフト、ＵＲＬ（Uniform Resource Locator）発行ソフトなどを含み、HTTP通信部３１を介して受信した音声データを、図５に示すように音声データデータベース３３に登録し、音声データの保管場所を示すＵＲＬを発行し、更にそのＵＲＬの文字列から該文字列を示すアクセスコード（例えば、ＱＲコードなどの二次元コード）を生成する。そして、制御部１２は、アクセスコードをHTTP通信部３１を介して音声データを送信してきた店頭端末機１０に送信する。
【００４１】
課金情報データベース３５は、図６に示すように音声データデータベース３３に登録された音声データに関連づけられて課金情報が登録され、プリント利用料、音声データの保管に必要な保管料金やすでに支払い済みのプリペイド料金が登録されている。その他、店頭端末機から送信された課金情報がクレジット情報を含む場合には、クレジット情報が登録される。
【００４２】
また、制御部３２は、音声データにアクセスするためのＵＲＬのＩＰアドレスおよびHTTPリクエストをHTTP通信部３１を介して受信すると、音声データデータベース３３内の情報の中から受信したＩＰアドレス及びHTTPリクエストで特定される音声データを読み出し、アクセスした要求元の機器に対して音声データを送信する。
【００４３】
課金情報データベース３５は、音声データの保管に必要な保管料金を所定期間ごと（例えば一週間ごと、または一ヶ月ごとなど）に更新され、すでに支払い済みのプリペイド料金から保管料金分を差し引き、これを新たなプリペイド料金とする。もしもプリペイド料金が保管料金よりも下回ったり、マイナス値になった場合には音声データの保管サービスが続行できなかったものとして、制御部３２は該音声データを音声データデータベース３３から削除する。更新されたプリペイド料金は更新された課金情報として、課金情報データベース３５に更新登録されるとともに、更新された課金情報はHTTP通信部３１を介して音声データを送信してきた店頭端末機１０に送信する。
【００４４】
カメラ付き携帯電話４０（以下、単に「携帯電話」という）は、通常の通話機能を有するとともに、電子メール機能やＵＲＬを入力してWWW サーバのWeb サイトにアクセスする機能を有している。更に携帯電話４０は写真プリントに印刷されたアクセスコード（例えばＱＲコードなどの二次元コード）を認識し、その認識したアクセスコードを解読してＵＲＬを取得する機能を有している。これらのアクセスコード解読機能、ＵＲＬ取得機能、Web サイトアクセス機能を利用することで、店頭端末機１０が印刷したプリント用紙上のアクセスコードからサービスサーバ上の音声データを受信して再生することができる。
【００４５】
図１、図７、図８、図９、図１０及び図１１は本発明の店頭端末機およびサービスサーバの第１の実施の形態を示す。これらの図面を参照しながら画像データの入力から写真プリントの作成およびその写真プリントに関連付けられた音声データがユーザーに提供されるサービスの流れについて説明する。
【００４６】
(1) 図７に示すようにユーザーが店頭端末機１０の課金装置１８に、所定枚のコインを投入し、課金情報とする。もしくは、店頭端末機１０の操作部１３から入力したクレジットカードの登録者名・カード番号・有効期限のクレジット情報を課金情報としてもよい（Ｓ１００）。
【００４７】
(2) 制御部１２は、課金装置１８からの課金情報、もしくは操作部１３からのクレジット情報を含む課金情報を受信し、サービス実施可能な金額が投入されたか、クレジット情報が正しく決済可能かを判断して、サービス実施が可能ならば次のステップＳ１０４に進む（Ｓ１０２）。
【００４８】
(3) ユーザーに、画像データ入力部１４のうちのユーザー画像をその場で撮影する撮像ユニット１４１を用いるのか、ユーザーの画像データが記録された外部記憶媒体を読み取る外部記憶媒体読取装置１４３を用いるのかを選択させる（Ｓ１０４）。
【００４９】
(4) ユーザーが撮像ユニット１４１を選択した場合は、撮像ユニットを起動し、ユーザー画像を撮像する( Ｓ１０５) 。ユーザーが外部記憶媒体読取装置１４３を選択した場合は、外部記憶媒体をユーザーに挿入させる案内を表示モニタ１６に表示し（Ｓ１０６）、所定の挿入口に外部記憶媒体が挿入されたことを確認したのちに、外部記憶媒体から画像データを読み出し（Ｓ１０７）、印刷する画像データを選択させる（Ｓ１０８）。
【００５０】
(5) ユーザーに、音声データ入力部１５のうちの録音ユニット１５２を用いるのか、ユーザーの好みそうな音声データが予め記録された複数の音声テンプレートの中から選択した音声テンプレートを音声データとして入力するのかを選択させる（Ｓ１１０）。録音ユニット１５２でユーザーの音声メッセージを録音中に、音声テンプレートを再生することも可能である。その場合、音声テンプレートはユーザーの音声メッセージの効果音として機能する。
【００５１】
(6) ユーザーが録音ユニット１５２を選択した場合は、録音ユニット１５２を起動し、マイク１５１を用いてユーザーに音声メッセージを入力させる（Ｓ１１２）。ユーザーが音声テンプレートの使用のみを選択した場合は、選択された音声テンプレートを音声データとする（Ｓ１１４）。ユーザーが録音ユニット１５２と音声テンプレートの両方の使用を選択した場合は、ユーザーの音声メッセージ入力中に、ユーザーの音声テンプレート挿入指示に合わせて、ユーザーが選択した音声テンプレートを音声メッセージと合成する（Ｓ１１６）。図８は音声テンプレートと音声メッセージとを合成する手順の一例を示している。
【００５２】
(7) ユーザーに出来上がりイメージを表示・再生し、印刷枚数の入力および確定ボタンを押させる（Ｓ１１８）。
【００５３】
(8) 制御部１２は、画像データ２３と音声データを一時的に記憶し、音声データはHTTP通信部１１を介してサービスサーバ３０に送信する（Ｓ１２０および図１）。
【００５４】
(9) 制御部１２は、ユーザーが指定した印刷枚数を含む課金情報をHTTP通信部１１を介してサービスサーバ３０に送信する（Ｓ１２２および図１）。
【００５５】
(10)図９に示すようにサービスサーバ３０の制御部３２は、HTTP通信部３１を介して店頭端末機１０からの音声データおよび課金情報を受信する（Ｓ２００）。
【００５６】
(11)サービスサーバ３０の制御部３２は受信した音声データを、音声データデータベース３３に登録し管理する（Ｓ２０２）。
【００５７】
(12)サービスサーバ３０の制御部３２は、受信した課金情報を該音声データに関連付けて登録し管理する（Ｓ２０４）。
【００５８】
(13)サービスサーバ３０の制御部３２は、プリント利用料を課金情報から減算し、課金情報を更新する（Ｓ２０５）。
【００５９】
(14)サービスサーバ３０の制御部３２は、更新した課金情報が０未満か否かを判別し（Ｓ２０６）、０未満ならば、印刷不可フラグをセットする（Ｓ２０７) 。
【００６０】
(15)サービスサーバ３０の制御部３２は、該音声データの保管場所を示すＵＲＬを発行し、更にそのＵＲＬの文字列から該文字列を示すアクセスコード２４（例えばＱＲコードなどの二次元コード）を生成する（Ｓ２０８）。
【００６１】
(16)サービスサーバ３０は、生成したアクセスコード２４をHTTP通信部３１を介して音声データを送信した店頭端末機１０に送信する（Ｓ２０９および図１）。
【００６２】
(17)図７に戻って、店頭端末機１０は、HTTP通信部１１を介してアクセスコード２４を受信し、アクセスコード２４をアクセスコードメモリ部１９に記憶させる（Ｓ１２４）。
【００６３】
(18)店頭端末機１０の制御部１２は、印刷不可フラグを含むアクセスコードを受信した場合は写真プリントの印刷を行わず終了する（Ｓ１２５）。
【００６４】
(19)店頭端末機１０の制御部１２は、ステップＳ１２０で一時的に記憶した画像データ２３とアクセスコード２４とを印刷した写真プリント２５を作成する（Ｓ１２６）。
【００６５】
(20)写真プリント２５は店頭端末機１０のプリント取出し口より排出され、ユーザーの手元に渡る（Ｓ１２８および図１) 。なお、写真プリント２５は、他のユーザーに渡しても良いし、ユーザー自らが所持しても良い。
【００６６】
次に、写真プリント２５を使用して音声を再生させる場合について説明する。
【００６７】
(21)図１０に示すように写真プリント２５を受け取ったユーザーは、携帯電話４０で写真プリント２５に印刷されたアクセスコード２４を撮影し、認識させる（Ｓ３００および図１）。
【００６８】
(22)携帯電話４０は認識したアクセスコードを解読してＵＲＬを取得する（Ｓ３０２）。
【００６９】
(23)携帯電話４０はWeb サイトアクセス機能を用いて、取得したＵＲＬに基づきサービスサーバに対してHTTPリクエストを送信しアクセスを行う（Ｓ３０４）。
【００７０】
(24)サービスサーバ３０の制御部３２はHTTP通信部を介して携帯電話４０からのHTTPリクエストを受信する（Ｓ２５０）。
【００７１】
(25)図１１に示すようにサービスサーバ３０の制御部３２は、音声データデータベース３３の中からＵＲＬで特定される音声データを読み出す（Ｓ２５２）。
【００７２】
(26)サービスサーバ３０の制御部３２は、アクセスしてきた携帯電話４０に対して音声データを送信する（Ｓ２５４および図１）。
【００７３】
(27)図１０に戻って、携帯電話４０はサービスサーバ３０から受信した音声データを再生する（Ｓ３０６および図１）。
【００７４】
図１２、図１３、図１４、図１５及び図１６は本発明の店頭端末機およびサービスサーバの第２の実施の形態を示す。この第２の実施の形態は、音声メッセージ付きの写真プリントの公開を希望したユーザーが、その写真プリントのプリント料金を負担して第三者（他のユーザー）に無料でプリントさせるもので、店頭端末機１０の表示モニタ１６は掲示板として機能させ、プリントされた写真プリントは音声メッセージが再生できるチラシとして機能させる。
【００７５】
ユーザーは、音声メッセージ付きの写真プリントの公開を希望する場合には、店頭端末機１０の図示しない「公開」ボタンを操作する。また、クレジット情報を入力する場合には同時に無料プリントさせるプリント枚数を入力し、現金を課金装置１８に投入する場合には無料プリントさせるプリント枚数に対応する金額を投入する。
【００７６】
尚、店頭端末機１０での公開希望する画像データおよび音声メッセージの入力からアクセスコード付きの写真プリントのプリント出力までの流れは、第１の実施の形態と同様のため、ここではその説明は省略する。
【００７７】
(1) 図１２において、公開希望の指示入力に対応して入力された画像データおよび音声データは、店頭端末機１０が使用されていない時に表示モニタ１６およびスピーカー１７により所定の時間ごとに順次再生される。図１４は３人のユーザーの画像および音声メッセージを繰り返し再生する場合に関して示している。
【００７８】
なお、再生の方法は、図１４に示したように一人分の画像を切り替えて順次再生する場合に限らず、図１５に示すように複数ユーザー分の画像を同時に再生しても構わない。また、他のユーザーに対して課金情報の残存金額範囲内でプリント印刷が無料であることを同時に表示しても良い（Ｓ５３０）。
【００７９】
(2) 公開指示された画像データおよび音声データを閲覧した他のユーザーは、操作部を用いて気に入った公開データの選択指示を行う（Ｓ５４０）。
【００８０】
(3) 他のユーザーに出来上がりイメージを表示し、確定ボタンを押させる（Ｓ５５０）。
【００８１】
(4) 店頭端末機１０の制御部１２は、選択された公開データのアクセスコード２４をアクセスコードメモリ部１９から取得する（Ｓ５６０）。
【００８２】
(5) 店頭端末機１０の制御部１２は、アクセスコード２４をHTTP通信部１１を介してサービスサーバ３０に送信する（Ｓ５７０) 。
【００８３】
(6) 図１３に示すようにサービスサーバ３０の制御部３２は、HTTP通信部３１を介して店頭端末機１０からアクセスコード２４を受信する（Ｓ６１０) 。
【００８４】
(7) サービスサーバ３０の制御部３２は、アクセスコード２４をキーとし、該当する課金情報を取得する（Ｓ６２０）。
【００８５】
(8) サービスサーバ３０の制御部３２は、プリント利用料を課金情報から減算し、課金情報を更新する（Ｓ６３０）。
【００８６】
(9) サービスサーバ３０の制御部３２は、更新した課金情報が０未満か否かを判別し（Ｓ６３２）、０未満ならば、印刷不可フラグをセットする( Ｓ６４０) 。
【００８７】
(10)サービスサーバ３０の制御部３２は、アクセスコード２４を生成する（Ｓ６５０）。
【００８８】
(11)サービスサーバ３０の制御部３２は、生成したアクセスコード２４をHTTP通信部３１を介して音声データを送信した店頭端末機１０に送信する（Ｓ６６０）。
【００８９】
(12)図１２に戻って、店頭端末機１０の制御部１２は、HTTP通信部１１を介してアクセスコード２４を受信し、アクセスコード２４をアクセスコードメモリ部１９に記憶させる（Ｓ５７４）。
【００９０】
(13)店頭端末機１０の制御部１２は、印刷不可フラグを含むアクセスコードを受信した場合は写真プリントの印刷を行わず終了する（Ｓ５７８）。
【００９１】
(14)店頭端末機１０の制御部１２は、印刷指示された公開画像データ２３とアクセスコード２４とを印刷した写真プリント２５を作成する（Ｓ５８０）。
【００９２】
(15)写真プリント２５は、店頭端末機１０のプリント取出し口より排出され、他のユーザーの手元に渡る（Ｓ５９０) 。
【図面の簡単な説明】
【００９３】
【図１】本発明に係る店頭端末機およびサービスサーバを実現するためのシステム構成図
【図２】店頭端末機の実施の形態を示すブロック図
【図３】アクセスコードが印刷された写真プリントの実施の形態を示す図
【図４】サービスサーバの実施の形態を示すブロック図
【図５】音声データデータベースで管理されるデータ例を示す図
【図６】課金情報データベースで管理されるデータ例を示す図
【図７】画像データおよび音声データ登録時の店頭端末機の動作を示すフローチャート
【図８】音声メッセージ合成時の詳細フローチャート
【図９】画像データおよび音声データ登録時のサービスサーバの動作を示すフローチャート
【図１０】音声データアクセス時の携帯電話の動作を示すフローチャート
【図１１】音声データアクセス時のサービスサーバの動作を示すフローチャート
【図１２】公開データアクセス時の店頭端末機の動作を示すフローチャート
【図１３】公開データアクセス時のサービスサーバ３０の動作を示すフローチャート
【図１４】公開指示された複数画像の各画像の順次表示例を示す図
【図１５】公開指示された複数画像の同時表示例を示す図
【符号の説明】
【００９４】
１０…店頭端末機、１１…HTTP通信部、１２…制御部、１３…操作部、１４…画像データ入力部、１５…音声データ入力部、１６…表示モニタ、１７…スピーカー、１８…課金装置、１９…アクセスコードメモリ部、２０…プリンタ、２１…プリント取出し口、２３…画像データ、２４…アクセスコード、２５…写真プリント、３０…サービスサーバ、３１… HTTP 通信部、３２…制御部、３３…音声データデータベース、３５…課金情報データベース、４０…カメラ付携帯電話、５０…インターネット
【図１】
2006035691.tif 000003
【図２】
2006035691.tif 000004
【図３】
2006035691.tif 000005
【図４】
2006035691.tif 000006
【図５】
2006035691.tif 000007
【図６】
2006035691.tif 000008
【図７】
2006035691.tif 000009
【図８】
2006035691.tif 000010
【図９】
2006035691.tif 000011
【図１０】
2006035691.tif 000012
【図１１】
2006035691.tif 000013
【図１２】
2006035691.tif 000014
【図１３】
2006035691.tif 000015
【図１４】
2006035691.tif 000016
【図１５】
2006035691.tif 000017